(57)【要約】  【課題】  コンパクトで筆記具感覚で印字できる印字自動送り印字器を提供しようとする。  【解決手段】  押印用の数字を刻印した字型部を表面の周方向に列配した無端状ベルトと、一対の巻掛部から成り該無端状ベルトが周方向に送り動可能に掛け渡される掛け渡し部とを含んで構成される印字部と、該印字部と近接又は乖離可能に結合された枠体と、該枠体に連結されて該枠体の該印字部との近接又は乖離に伴って移動する送り爪とを含んで成り、前記無端状ベルトに前記送り爪と係合する係合部が各前記字型部に対応して設けられ、前記送り爪が前記係合部に係合して移動することにより、前記無端状ベルトが前記係合部を介して周方向に送られることを特徴とする印字器である。  【選択図】  図４
2005053060.tif 000002
【特許請求の範囲】
【請求項１】
押印用の数字を刻印した字型部を表面の周方向に列配した無端状ベルトと、一対の巻掛部から成り該無端状ベルトが周方向に送り動可能に掛け渡される掛け渡し部とを含んで構成される印字部と、
送り爪と
を含んで成り、
前記無端状ベルトに前記送り爪と係合する係合部が各前記字型部に対応して設けられ、
前記送り爪が前記係合部に係合して移動することにより、前記無端状ベルトが前記係合部を介して周方向に送られることを特徴とする印字器。
【請求項２】
更に、前記印字部と近接又は乖離可能に結合された枠体を含み、
前記送り爪が前記枠体に連結されて前記枠体の前記印字部との近接又は乖離に伴って移動することを特徴とする請求項１に記載の印字器。
【請求項３】
前記係合部が鋸刃状突起を有し、前記送り爪によりラチェット送りされる請求項１又は２に記載の印字器。
【請求項４】
前記係合部が各前記字型部の、前記周方向と直交する方向に隣接してそれぞれ設けられた請求項１乃至３のいずれかに記載の印字器。
【請求項５】
前記印字部が、前記字型部にインクを供給するインク供給手段を備える請求項１乃至４のいずれかに記載の印字器。
【請求項６】
前記印字部が前記掛け渡し部を保持する枠を備え、
一の前記巻掛部がシャフトと回転送り駒とカムを備え、該シャフトの長手方向が前記無端状ベルトの周方向と直交し、該回転送り駒が該シャフトを介して前記枠に軸着し、該カムが該回転送り駒に固定されて該回転送り駒と同軸で回転可能とされ、
前記インク供給手段が、開口部を有しインクを内蔵した箱体と、該開口部に嵌入して該インクに接し外部に露出する露出面を有するインク含浸体と、前記カムに当接するカム当接部とを有するインクカートリッジを備え、
該インクカートリッジが、１の定められた位置にある前記字型部から近接又は乖離可能に配され、前記露出面が該字型部の表面に面して配され、
前記当接部が前記カムに当接して、該インクカートリッジが、該字型部から近接又は乖離し、近接時に前記露出面が該字型部の表面に接触して該表面にインクが付着する請求項５に記載の印字器。
【請求項７】
前記字型部を構成する素材がインクを含浸可能な多孔質体から成る請求項１乃至６のいずれかに記載の印字器。
【発明の詳細な説明】
【技術分野】
【０００１】
本発明は印字自動送り機能を有する印字器に関する。
【背景技術】
【０００２】
数字等の印字を自動送りする印字器としては、ゴム帯体車の側面に固定した数字送りギアに対して送り爪を選択係合する機構を備えたナンバーリングが知られている。又、印字面にインクを供給する手段として、レバーの先端に取り付けられたスタンプパッドが本体の上下動により揺動して印字面に当接し、押印時に開放される機構が用いられる（例えば、特許文献１参照。）。
【０００３】
しかし、これら従来の印字器は、これらの諸機構が組み込まれて複雑であり、かつ嵩高で取り扱いにくい。
【特許文献１】特開平１１−１４７３５７号公報（第２頁、第１〜１４図）
【発明の開示】
【発明が解決しようとする課題】
【０００４】
本発明は、これら問題点に鑑みコンパクトで筆記具感覚で印字できる印字自動送り印字器を提供しようとする。
【課題を解決するための手段】
【０００５】
本発明の要旨とするところは、押印用の数字を刻印した字型部を表面の周方向に列配した無端状ベルトと、一対の巻掛部から成り該無端状ベルトが周方向に送り動可能に掛け渡される掛け渡し部とを含んで構成される印字部と、
送り爪と
を含んで成り、
前記無端状ベルトに前記送り爪と係合する係合部が各前記字型部に対応して設けられ、
前記送り爪が前記係合部に係合して移動することにより、前記無端状ベルトが前記係合部を介して周方向に送られることを特徴とする印字器であることにある。
【０００６】
又、本発明の要旨とするところは、押印用の数字を刻印した字型部を表面の周方向に列配した無端状ベルトと、一対の巻掛部から成り該無端状ベルトが周方向に送り動可能に掛け渡される掛け渡し部とを含んで構成される印字部と、
該印字部と近接又は乖離可能に結合された枠体と、
該枠体に連結されて該枠体の該印字部との近接又は乖離に伴って移動する送り爪と
を含んで成り、
前記無端状ベルトに前記送り爪と係合する係合部が各前記字型部に対応して設けられ、
前記送り爪が前記係合部に係合して移動することにより、前記無端状ベルトが前記係合部を介して周方向に送られることを特徴とする印字器であることにある。
【０００７】
前記印字器においては、前記係合部が鋸刃状突起を有し得、前記送り爪によりラチェット送りされ得る。
【０００８】
前記係合部は、各前記字型部の、前記周方向と直交する方向に隣接してそれぞれ設けられ得る。
【０００９】
前記印字部は、前記字型部にインクを供給するインク供給手段を備え得る。
【００１０】
前記印字器は、
前記印字部が前記掛け渡し部を保持する枠を備え、
一の前記巻掛部がシャフトと回転送り駒とカムを備え、該シャフトの長手方向が前記無端状ベルトの周方向と直交し、該回転送り駒が該シャフトを介して前記枠に軸着し、該カムが該回転送り駒に固定されて該回転送り駒と同軸で回転可能とされ、
前記インク供給手段が、開口部を有しインクを内蔵した箱体と、該開口部に嵌入して該インクに接し外部に露出する露出面を有するインク含浸体と、前記カムに当接するカム当接部とを有するインクカートリッジを備え、
該インクカートリッジが、１の定められた位置にある前記字型部から近接又は乖離可能に配され、前記露出面が該字型部の表面に面して配され、
前記当接部が前記カムに当接して、該インクカートリッジが、該字型部から近接又は乖離し、近接時に前記露出面が該字型部の表面に接触して該表面にインクが付着する
ように構成され得る。
【００１１】
前記字型部を構成する素材はインクを含浸可能な多孔質体から成り得る。
【発明の効果】
【００１２】
本発明により、コンパクトで筆記具感覚で印字できる印字自動送り印字器が提供される。
【発明を実施するための最良の形態】
【００１３】
本発明に係る態様を図面に基づいて詳しく説明する。なお、本明細書においては、各図にわたって記される同じ符号は同一又は同様の部材やものを示す。図１は本発明の印字器２の態様を示す機構透視図であり、図１（ａ）図１（ｂ）はそれぞれ正面図、側面図である。図１において、印字器２は、印字部４、枠体６及び送り爪８を備える。印字部４は、表面の周方向に押印用の一連の数字１４を順次刻印した字型部１６を列配した無端状ベルト１８と、無端状ベルト１８が掛け渡される掛け渡し部２０と掛け渡し部２０を保持する枠３０を備える。掛け渡し部２０は、一対の巻掛部２２、２４から成る。送り爪８は枠体６に軸２９を介して軸着して連結され、枠体６と印字部４とは枠３０に設けられたあり継ぎ部２８を介して近接又は乖離可能に結合されている。枠体６は印字器２の頭頂側と印字側にそれぞれ開口１１、１３を有する筒体である。図１は枠体６と印字部４とが最も乖離した状態の印字準備モードの配置である。枠体６と印字部４とが最も近接した状態の印字モードで被印字物２３に対して印字が行なわれる。
【００１４】
一方、無端状ベルト１８には送り爪８と係合する係合部３２が各字型部１６に対応して各字型部１６の側部に、無端状ベルト１８の周方向と直交する方向に隣接して、設けられている。送り爪８の先端が係合部３２の方向に不図示の付勢手段により付勢されている。係合部３２には鋸刃状の急峻に立ち上がる急峻面３６となだらかに立ち下がるスロープ面３８とを有する鋸刃形状の突起３４が形成されており、枠体６と印字部４との近接に伴って移動する送り爪８が、急峻面３６を押し出して無端状ベルト１８が周方向に送り出される。枠体６と印字部４とが乖離するときは送り爪８の先端がスロープ面３８上を摺動して無端状ベルト１８は動かない。このようなラチェット駆動に類似の駆動を本明細書においては、ラチェット送りと称する。
【００１５】
巻掛部２２は印字器２の印字側に位置し、断面正方形の印字側回転送り駒４０と、印字側回転送り駒４０の軸心を貫通するシャフト４２を備える。シャフト４２は、長手方向を無端状ベルト１８の周方向と平行に配置されて両端それぞれが枠３０の内がわ面に固定されている。印字側回転送り駒４０はシャフト４２を軸として回転自在である。無端状ベルト１８が印字側回転送り駒４０に巻き掛けられる。印字側回転送り駒４０の断面正方形の一辺は、字型部１６の無端状ベルト１８の周方向にみた長さのピッチと略等しい。印字準備モードにおいては、１個の字型部１６ａ及び対応の係合部３２ａの裏面の全体が、印字側回転送り駒４０の１個の表面４１ａに、はみ出しや引き込みのない状態に重畳され、印字側回転送り駒４０が９０度回転した次の印字準備モードにおいてはその１個の字型部１６ａに隣接の字型部１６ｂ及び対応の係合部３２の裏面の全体が、印字側回転送り駒４０の、その１個の表面４１ａに隣接の表面４１ｂに、はみ出しや引き込みのない状態に重畳される。
【００１６】
巻掛部２４は印字器２の頭頂（５２）側に位置し、断面正六角形の頭頂側回転送り駒５４と、頭頂側回転送り駒５４の軸心を貫通するシャフト５６を備える。シャフト５６は、長手方向を無端状ベルト１８の周方向と平行に配置されて両端それぞれが枠３０の内がわ面に固定されている。頭頂側回転送り駒５４はシャフト５６を軸として回転自在である。無端状ベルト１８が頭頂側回転送り駒５４に巻き掛けられる。頭頂側回転送り駒５４の断面正六角形の一辺は、字型部１６の無端状ベルト１８の周方向にみた長さのピッチと略等しい。印字準備モードにおいては、字型部１６ｃ及び対応の係合部３２ｃの裏面の全体が、頭頂側回転送り駒５４の１個の表面４３ｃに、はみ出しや引き込みのない状態に重畳される。
【００１７】
又、印字部４には字型部１６にインクを供給するインク供給手段６０が備えられている。インク供給手段６０は枠３０及び枠３０の頭頂（５２）側のキャップ６２の内側に内蔵されて位置する。インク供給手段６０はインクカートリッジ６３を備える。インクカートリッジ６３は、開口部６６を有しインクを内蔵した箱体６８と、開口部６６に嵌入して該インクに接し外部に露出する露出面８０を有するインク含浸体７０と、カム７２に当接するカム当接部７４とを備える。
【００１８】
カム７２は、頭頂側回転送り駒５４の断面正六角形よりひとまわり大きい正六角形の板７３から成り、頭頂側回転送り駒５４に固定されて板７３の面に直交する中心軸のまわりに頭頂側回転送り駒５４と同軸で回転可能とされている。
【００１９】
一方、インクカートリッジ６３は、印字準備モードにおける最も頭頂側に位置する字型部１６に向けて近接したりその字型部１６から乖離することが可能なように挿入ガイド孔７６に挿入されて、露出面８０が字型部１６ｃの表面に面するように配される。挿入ガイド孔７６は、枠３０に固定された挿入ガイド床７８に形成されている。カム７２が回転すると、インクカートリッジ６３が、字型部１６ｃから近接又は乖離し、インクカートリッジ６３の近接時に露出面８０が字型部１６ｃの表面に接触してその表面にインクが付着する。
【００２０】
インクカートリッジ６３はカートリッジ付勢手段９０により字型部１６ｃに向けて付勢されている。カートリッジ付勢手段９０はコイルバネ９２とバネホルダ９４により構成されるが、他の、例えば板バネ等の弾性部材を用いた構成であってもよい。コイルバネ９２とバネホルダ９４はキャップ６２の内壁面とインクカートリッジ６３との間に配されている。
【００２１】
符号１０２は、頭頂側回転送り駒５４を介して無端状ベルト１８を手動送りする手動円板である。手動円板１０２は頭頂側回転送り駒５４に隣接してシャフト５６に中心部を貫通させてシャフト５６を軸として回転可能に装着され、頭頂側回転送り駒５４と側面同士で係合している。手動円板１０２の手動回転により頭頂側回転送り駒５４が回転し無端状ベルト１８が手動送りされる。手動円板１０２が頭頂側回転送り駒５４に固定されていてもよい。
【００２２】
字型部１６は図２に示すように、ケース部１７に字型ブロック１９が嵌めこまれた構成となっている。字型ブロック１９は表面に字型３５が形成されたブロックであり、インクを含浸して保持できる多孔質体から成る。ケース部１７は上方に開口され無端状ベルト１８の表面に連接して設けられている。インクカートリッジ６３からインク含浸体７０（図１）を介して字型３５に付与されたインクは、字型３５に含浸されて保持されるので、字型３５はかすれることなく印字でき、複数回の印字も出来る。
【００２３】
図１の印字準備モードの状態（図３（ａ））から、枠体６の開口１３の縁部１５を基盤２５上に載置された被印字物２３に当接させ、印字部４を被印字物２３に向けて押し付ける方向に移動して中間の状態（図３（ｂ））を経て印字モードの直前（図３（ｃ））に至る態様を示す。
【００２４】
更に、本発明においては、無端状ベルト１８に、桁上がり時に送り爪８を係合部３２に選択的に作用させるための桁上がり開口が設けられる。この態様を図４に示す。図４においては、送り爪８ａが１位の桁の無端状ベルト１８ａに対応し、送り爪８ｂが１０位の桁の無端状ベルト１８ｂに対応する。１位の桁から桁上がりするための桁上がり開口８８が無端状ベルト１８ａに設けられる。無端状ベルト１８ｂに設けられる桁上がり開口８８ｂは１０位の桁から桁上がりするためのものであり、１００位の桁用の無端状ベルトが併設された場合に機能する。送り爪８ａと送り爪８ｂは共通の中空軸シャフト９０に各根元で固定され連動する。
【００２５】
無端状ベルト１８ａが、桁上がり直前の文字（図４では数字９）以外の文字（図４では数字０〜８）を印字するモードに位置するときに、送り爪８ａの先端尖部３７ａが係合部３２ａと無端状ベルト１８ａの周方向に連接する平坦部３９の上面に当接し、先端尖部３７ａはそれ以上無端状ベルト１８ａの内側方向に移行することはない。なお、平坦部３９も印字部４の無端状ベルト１８ａの周方向と直交する方向の側部に設けられる。平坦部３９の上面は、係合部３２のスロープ面３８の立ち下がった端と面一となっている。係合部３２の急峻面３６は平坦部３９の上面端から立ち上がっている。
【００２６】
このような構成により、送り爪８ｂは、無端状ベルト１８ａが、桁上がり直前の文字（図４では数字９）以外の文字（図４では数字０〜８）を印字するモードに位置するときに、一定の位置にとどまり、それ以上無端状ベルト１８ｂの内側方向に移行することがなく、その位置においては、送り爪８ｂの先端尖部３７ｂが無端状ベルト１８ｂの係合部３２ｂの立ち上がりの先端よりも、無端状ベルト１８ｂからみた外側に位置するので、送り爪８ｂと係合部３２ｂとが係合せず、無端状ベルト１８ｂは送り爪８ｂにより送り移動されない。無端状ベルト１８ａが、桁上がり直前の文字（図４では数字９）を印字するモードに位置するときに、送り爪８ａの先端尖部３７ａが平坦部３９に設けられた桁上がり開口８８に挿入され、無端状ベルト１８ａが、桁上がり直前の文字以外の文字を印字するモードに位置するときに比べて更に無端状ベルト１８ａの内側方向に移行する。これにより、送り爪８ｂの先端尖部３７ｂが、無端状ベルト１８ａが桁上がり直前の文字以外の文字を印字するモードに位置するときに比べて更に無端状ベルト１８ｂの内側方向に移行し、送り爪８ｂが係合部３２ｂに係合して、送り爪８ｂの無端状ベルト１８ｂの周方向への移動で、無端状ベルト１８ｂが送り移動され桁上がりが行なわれる。
【００２７】
なお、無端状ベルト１８（１８ａ、１８ｂ等）は、断面矩形の無端状基礎ベルト１８ｓと、無端状基礎ベルト１８ｓのおもて面に、周方向に列配された字型部１６と、字型部１６の無端状基礎ベルト１８ｓの周方向と直行する方向に隣接して、無端状基礎ベルト１８ｓのおもて面に、周方向に交互に列配された平坦部３９と係合部３２とから構成されている。
【００２８】
図５に示す態様の一例のように、枠体６は印字部４から乖離する方向に付勢される。枠体６は枠３０を介して枠体付勢手段９４により付勢される。枠体付勢手段９４は、枠体６の開口１１の縁部から頭頂に向けて突設されたガイド棒９６と、枠３０の内側側面から内側に突出して設けられ、ガイド棒９６を挿通させる孔９８を有するブラケット９９と、ガイド棒９６を挿通させてブラケット９９と開口１１の縁部の間に収められた圧縮コイルバネ１００とから構成される。
【００２９】
本発明の印字器２は、無端状ベルト１８に送り爪８を係合する係合部３２を設けることにより、又、更に無端状ベルト１８に桁上がり開口８８を設けることにより、ゴム帯体車の側面に固定した数字送りギャーを必要とせずきわめてコンパクトで組み立て作業の容易な構造を実現出来る。本発明の印字器の組み立て構成の一例を図６の分解図に示す。図６においては、枠３０（図１）に相当する枠が、外側壁部１３０、内側壁部１３２、前面部１３４、後面部１３６、カートリッジ挿入面１３８から構成され、内側壁部１３２が内側前壁部１３２ａと、内側後壁部１３２ｂとに分割されている。前面部１３４と一対の内側前壁部１３２ａとは一体に成形されている。後面部１３６と一対の内側後壁部１３２ｂとは一体に成形されている。符号１４０は印字器２の不使用時に枠体６の開口１３を着脱自在に覆う着脱自在キャップである。なお、インクカートリッジ６３はカム７２のサイズにあわせた形状となっており、図１に示す態様と形状が若干異なる。符号８９は手動円板１０２の、頭頂側回転送り駒５４の側面に面接する面接面に設けられた逆回転止め突起であり、頭頂側回転送り駒５４の側面に形成された不図示の係合陥没部に係合して、手動円板１０２の回転により、一方向のみに頭頂側回転送り駒５４が駆動される。逆回転止め突起８９は鋸刃状の急峻に立ち上がる急峻面９３となだらかに円周方向に立ち下がるスロープ面９５とを有する。急峻面９５は、円周方向と直交している。又、図６においては、送り爪８の付勢手段、枠体付勢手段９４及びカートリッジ付勢手段９０が不図示である。符号１５７は止め輪、符号１５９は止め輪溝である。
【００３０】
なお、図６においては、枠３０及びキャップ６２の形状が図１に示す態様と異なっている。図６に示す印字器２の組み立てられた外観図を図７に示す。本発明の印字器２は購買意欲をそそる外観と、筆記具感覚で印字出来る使いやすさが実現されている。このように、本発明の印字器のコンパクトな内部機構により、従来のメカニックで厳つく角張った外観をなくした形状と、使いやすい形状デザインの実現が可能となった。図７（ａ）は着脱自在キャップ１４０を外した状態、図７（ｂ）は着脱自在キャップ１４０を装着した状態である。更に、本発明の印字器は、キャップ６２を印字部４と反対方向に延出させ全体をペン状にすることにより、筆記の操作と同様の持ち方で印字することができるような形状の実現が可能である。
【００３１】
枠体６は、透明樹脂を用いて成形されて成ることが好ましい。枠体６が透明であると印字するときに印字の位置を透視できるので印字の作業性が向上する。又、枠３０の外面は弾性樹脂で被覆されていることが好ましい。弾性樹脂の被覆により滑りにくくかつ、感触も良好となる。
【００３２】
本発明においては、字型部１６へのインクの付与がこのようなインクカートリッジ６３により行なうことが出来るので、非使用時に字型部１６をカバーする着脱自在キャップ１４０がきわめてコンパクトなものでよい。従来の印字器においては、字型部へのインクの付与が大きく揺動するインク付与アームを用いて行なわれるので、非使用時の字型部に付着しているインクが他の物に付着するのを防止するため印字器に着脱自在なカバーを付けることを試みても、そのカバーは嵩高なものとなり、現実にはそのようなカバーは採用されていない。
【００３３】
着脱自在キャップ１４０は、透明樹脂を素材として成形されて、非使用時に字型部１６が透視可能とされてもよい。字型部１６が透視可能であることにより、例えば書体あるいはインクの色の異なる複数の印字器から所望の印字器を着脱自在キャップ１４０を装着したままで選別出来る。
【００３４】
本発明の他の態様においては、図８に示す印字器２ａのように、字型部１６へのインクの付与が挿入型インクカートリッジ１２０により行なわれる。挿入型インクカートリッジ１２０は枠３０ａの側壁に形成された挿入口１２２から枠３０ａの内部に挿入されて無端状ベルト１８ａａの周の内側に装着される。又、無端状ベルト１８ａａの手動送りは頭頂側回転送り駒５４ａ用のシャフト５６ａの一端に設けられ枠３０ａの外側に位置する回転つまみ１２４の手動回転を介して行なわれる。
【００３５】
回転つまみ１２４の手動回転による頭頂側回転送り駒５４ａの駆動は、シャフト５６ａと回転伝達円盤１７０を介して行なわれる。回転伝達円盤１７０はシャフト５６ａに中心の貫通孔を貫通されて頭頂側回転送り駒５４ａの側面に面接して装着されている。図１１に示すように、回転伝達円盤１７０は貫通孔１７２の周面に回り止め溝１７４が形成され、シャフト５６ａの表面に設けられた回り止め突起１７５（図８）に係合する。シャフト５６ａの回転が回り止め突起１７５を介して回転伝達円盤１７０に伝達される。又、回転伝達円盤１７０はシャフト５６ａの長手方向に摺動可能となっている。
【００３６】
一方、図１１に示すように、回転伝達円盤１７０の、頭頂側回転送り駒５４ａの側面１８２に面接する面接面１７６に逆止突起１７８が形成されている。逆止突起１７８は、鋸刃状の急峻に立ち上がる急峻面１８０となだらかに円周方向に立ち下がるスロープ面１８２とを有する。急峻面１８０は、円周方向と直交している。
【００３７】
回転伝達円盤１７０の側面１８２には逆止突起１７８と対応する位置に、係合陥部１８４が形成されている。係合陥部１８４は、側面１８２から急峻に陥没する急峻陥没面１８６と急峻陥没面１８６の最深部から側面１８２に向けてなだらかに円周方向に立ち上がる陥没スロープ面１８８とを有する。逆止突起１７８が係合陥部１８４に係合して、回転伝達円盤１７０の回転が一方向にのみ頭頂側回転送り駒５４ａに伝達される。側面１８２が逆止突起１７８に乗り上げようとするときには、押しバネ１９０（図８）が歪んで面接面１７６と側面１８２とが乖離する。押しバネ１９０は、シャフト５６ａに同軸に固定された固定円盤１９２と回転伝達円盤１７０の間に設けられている。
【００３８】
挿入型インクカートリッジ１２０の働きを説明すると、挿入型インクカートリッジ１２０はインクを内蔵し、両側部に開口１２８を有する箱体１３０と、開口１２８に嵌入して該インクに接し外部に露出する露出面１３２（図１０）を有するインク含浸体１３４とから構成される。
【００３９】
一方、図９の断面模式図に示すように、無端状ベルト１８ａａは、長手方向に延びる層構造を有しており、表裏両面の最外層１４２、１４４が、非透水性の素材から構成される。表側の最外層１４２と、裏側の最外層１４４にサンドイッチ状に挟まれてインクを含浸する多孔質体１５６から成るインク含浸層１４６が設けられる。裏側の最外層１４４には各字型部１６ｘに対応してインク用開口１５０を備える。インク用開口１５０の縁部１５２が周の内側に向けて突出している。縁部１５２に囲まれた多孔質体１５６が外部に露出して裏側露出面１６０を形成している。字型部１６ｘはインクを含浸する多孔質体から成り、インク含浸層１４６と面接している。図１０に示すように、無端状ベルト１８ａａが移動して裏側露出面１６０が露出面１３２と順次接触することにより、挿入型インクカートリッジ１２０中のインクがインク含浸層１４６に含浸され、更に字型部１６ｘの印字面に達する。
【００４０】
図８に示す態様は、挿入型インクカートリッジ１２０が無端状ベルト１８ａａの周の内側に装着され、かつ、手動円板１０２やカム７２（図１）を要しないのでよりコンパクトで簡易な構造を得ることが出来る。
【００４１】
本発明の更に他の態様においては、図１２に示すように、各字型部１６ａの無端状ベルト１８ａｂの周方向の側部１７０が送り爪８と係合する係合部３２ｇとなっている。この態様は、図１の態様にくらべて更にコンパクトな構成が得られる。但し、送り爪８が印字部の方向に移動するとき、送り爪８の先端が字型部１６ａの表面をこすることになる。
【００４２】
図１３に、図１２に示す態様において送り爪８が印字部の方向に移動するとき、送り爪８ａの先端が字型部１６ａの表面をこすらないようにする態様の一例として、カム機構１８０の態様を示す。カム機構１８０は、枠３０ｂの側壁１８２に設けられ、側壁１８２に一の面を面接させながら揺動自在に軸着したカムベース板１８４と、カムベース板１８４に固定された略への字型に折られたカム板１８６と、送り爪８ａの側面に固定されたスライダ突起１８８と、側壁１８２に取り付けられ、カムベース板１８４が下降したときカムベース板１８４の下縁部に当接するストッパ１９０と、側壁１８２に取り付けられ、カムベース板１８４を下方に付勢するスプリング部１８５とから構成される。符号１９４は、側壁１８２とカムベース板１８４との軸着部である。カム板１８６は、折り目線１９６をカムベース板１８４の面と直交させて、折り目線１９６を間にする長板部２００と、短板部２０２とから成る。長板部２００の長手方向は送り爪８ａの腕２０４と略平行に配されている。
【００４３】
図１４にカム機構１８０の作動態様を示す。（ａ）は送り爪８ａが字型部を押し切った直後に図面視左方に移動を開始した状態であり、更に図面視左方に移動して（ｂ）の状態に移行する。このとき送り爪８ａの先端が、スライダ突起１８８が短板部２０２の上面を摺り上がることにより上昇する。スライダ突起１８８が長板部２００の上面を摺動する（ｂ）の状態から長板部２００の左端に至る（ｃ）の状態に達し、長板部２００の左端からはずれて下降し（ｄ）の状態になる。（ｂ）の状態では送り爪８ａの先端は字型部の表面の上方を通過する。（ｄ）の状態で送り爪８ａの先端は再び字型部と係合し、（ｅ）の状態で字型部を押出しながら図面視右方に移動する。このとき、スライダ突起１８８は長板部２００の下面の下方を通過する。（ｆ）の状態でスライダ突起１８８が短板部２０２の下面に当接し、これによりカム板１８６が軸着部１９４を支点として上方に揺動する（（ｇ）の状態）。スライダ突起１８８が短板部２０２の先端を通過するとカム板１８６が上方に軸着部１９４を支点としてスプリング部１８５の付勢力により下降して（ｈ）の状態となり送り爪８ａが字型部を押し切った状態となる。次いで（ａ）の状態に戻る。
【００４４】
図１５は、枠体６と枠３０（図１）が乖離するときに送り爪８ｄが無端状ベルト１８ｄの係合部３２ｄに係合して字型部１６を送り出す態様の一例である。この場合、図１６に示すように、印字器２ｄは、枠体６と枠３０ｄとが乖離する方向に枠付勢手段２１０を備える。枠付勢手段２１０は、枠体６の縁部から印字器の頭頂に向けて立設された一対の支柱２１２を備える。支柱２１２は、挿入ガイド床７８を貫通して、キャップ６２ｄの内側に達し、先端にバネ受け板２１４を備える。バネ受け板２１４とキャップ６２ｄの頭頂側の内面との間に付勢ばね２１６が配されて、枠体６が、バネ受け板２１４及び支柱２１２を介して、枠体６と枠３０ｄが乖離する方向に付勢される。この態様は、枠体６と枠３０ｄとが近接して印字されるときに字型部１６が送り出されないようにする機構が簡単である点で好ましい。
【００４５】
本発明においては、無端状ベルト、掛け渡し部、インク供給手段から成る印字ユニットは上述のように２個併設する態様以外に、３個以上併設して３桁以上の印字を行なう態様であってもよい。
【００４６】
又、例えば、図１７に示す態様の、印字ユニット２２０を５個併設した印字器２ｇは、複数頁にわたる文書の頁数の表記に好適に用いられる。印字器２ｇ（枠、枠体等は不図示）においては、印字文字の左側の２文字が、連番の頁数を表し、中間にスラッシが印字され、右側の２文字が総頁数を表す。連番の頁数を印字する無端状ベルト１８−１、１８−２は送り爪８により自動送りされ、総頁数を印字する無端状ベルト１８−４、１８−５及びスラッシを印字する無端状ベルト１８−３は各手動円板１０２により手動送りされる。印字器２ｇのような態様は、月／日の印字にも好適に適用される。
【００４７】
本発明においては、係合部３２、係合部３２ｇのような係合部と係合する送り爪が使用する人の指で直接駆動されてもよい。この場合は、枠体（例えば枠体６）が印字部と近接又は乖離可能に結合された機構は不要となる。この態様の一例を図１８の印字器２ｘに示す。図１８においては、無端状ベルト１８に設けられた係合部３２に係合する送り爪８ｐが、押し駒２５６に連結され、押し駒２５６を指で押し上げることにより、送り爪８ｐを介して無端状ベルト１８が駒送りされる。押し駒２５６と送り爪８ｐが可動部品２５０の構成要素となっている。送り爪８ｐは、一端に爪部８８ｐを備えた帯状の板バネ２５１から成り、可動部品２５０は、送り爪８ｐと、送り爪８ｐの他端が固定された板状駒２５２と、板状駒２５２と連結片２５４を介して連結固定された押し駒２５６とから構成される。押し駒２５６の上面には指で押されたときの指とのすべり止めのため多条の筋溝２６０が形成されている。押し駒２５６の下面は平面状であり、板状駒２５２と間隔を隔てて平行に配されている。爪部８８ｐが係合部３２に係合する。
【００４８】
可動部品２５０は、無端状ベルト１８を掛け渡し部２０を介して保持する枠３０ｐに、枠３０ｐの壁面に沿って上下摺動可能に取り付けられている。即ち、枠３０ｐに形成された上下方向のスリット２６２の間隙に連結片２５４が位置して、板状駒２５２と押し駒２５６とで枠３０ｐの壁が挟まれた状態となっている。押し駒２５６をスリット２６２の長手方向に沿って指で図面視上方に押し上げることにより、送り爪８ｐと係合した係合部３２が図面視上方に押し上げられて字型部１６が駒送りされる。可動部品２５０が図面視下方に移動するときには、板バネ２５１が撓んで爪部８８ｐの先端が係合部３２を乗り越え、次の係合部３２と係合する。可動部品２５０は押しバネ２５９を備えた押し駒付勢手段２５７により、無端状ベルト１８の送り方向と逆方向（図面視下方向）に付勢されている。
【００４９】
図１９は、図１８に示す印字器２ｘの斜視図であり、図１９（ａ）、図１９（ｂ）はそれぞれ、印字器２ｘの不使用時に枠体３０ｐの開口１３ｐを着脱自在に覆う着脱自在キャップ１４０ｐの装着時と非装着時である。
【００５０】
図１８に示す印字器２ｐは、２本の無端状ベルト１８が併設され、それぞれに押し駒２５６及び送り爪８ｐが備えられているが、図２０の斜視図に示す印字器２ｑのように２本の無端状ベルト１８−１、１８−２が１個の共通の押し駒２５６を介してそれぞれ図２１に示す送り爪８ｑ１と送り爪８ｑ２により駆動されてもよい。図２０（ａ）、図２０（ｂ）はそれぞれ、印字器２ｑの不使用時に枠体３０ｑの開口１３ｑを着脱自在に覆う着脱自在キャップ１４０ｑの装着時と非装着時である。
【００５１】
図２１に示すように、送り爪８ｑ１と送り爪８ｑ２は、それぞれ図４に示す送り爪８ａ、送り爪８ｂと同様の構造を有し、図４におけるように送り爪８ｑ１と送り爪８ｑ２は共通の中空軸シャフト９０ｑに各根元で固定され連動する。中空軸シャフト９０ｑは板状駒２５２ｑに軸２９ｑを介して軸着して連結されている。送り爪８ｑ１と送り爪８ｑ２はＶ字板バネ４０ｑにより無端状ベルト１８の方向に付勢される。
【００５２】
図２２に示すように、板状駒２５２ｑは連結片２５４を介して押し駒２５６ｑに連結固定される。板状駒２５２ｑと押し駒２５６ｑとは図１８と同様の態様で枠３０ｑに取り付けられている。押し駒２５６ｑの上下動即ち送り爪８ｑ１と送り爪８ｑ２の上下動による２本の無端状ベルト１８−１、１８−２の駒送りは図４における送り爪８ａ、送り爪８ｂによる無端状ベルト１８ａ、１８ｂの桁上がりを含む駒送りの態様と同様である。この駒送りの態様を矢印の順におって図２３に示す。
【００５３】
又、図１８に示す印字器２ｐは、スタンプ台を用いて字型部１６の印字面に手動でインクを供給するが、図２４に示す態様の印字器２ｒは、図８の印字器２ａと同様の無端状ベルト１８ａａが用いられ、同様の挿入型インクカートリッジ１２０を内蔵して、図８の印字器２ａと同様の機構で字型部１６の印字面にインクが供給される。字型部１６の駒送りは、図１８の印字器２ｐと同様の機構で手動でなされる。あるいは、図２２に示す印字器２ｑと同様の機構でなされてもよい。
【００５４】
以上本発明の印字器の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【産業上の利用可能性】
【００５５】
本発明の印字器は、人が手で持って印字する態様のみならず、印刷機に取り付けて印刷と連動させて字を送りながら印字する用途にも適用出来る。
【図面の簡単な説明】
【００５６】
【図１】本発明の印字器の態様の一例を示す機構透視図であり、図１（ａ）、図１（ｂ）はそれぞれ正面図、側面図である。
【図２】図１に示す印字器の字型部の構成を示す要部斜視模式図である。
【図３】図１に示す印字器の印字準備モードの状態（図３（ａ））から、中間の状態（図３（ｂ））を経て印字モードの直前（図３（ｃ））に至る態様を示す説明図である。
【図４】図１に示す印字器の印字部の構成を示す要部斜視図である。
【図５】図１に示す印字器の枠体付勢手段の構成の一例を示す機構透視模式図であり、図５（ａ）、図５（ｂ）はそれぞれ正面図、側面図である。
【図６】本発明の印字器の組み立て構成の一例を示す分解図である。
【図７】図６に示す印字器の組み立てられた外観図を示す斜視図であり、図７（ａ）はキャップを外した状態、図７（ｂ）はキャップを装着した状態である。
【図８】本発明の印字器の他の態様の構成を示す機構透視図であり、図１（ａ）、図１（ｂ）はそれぞれ正面図、側面図である。
【図９】図８に示す印字器に用いられる無端状ベルトの構成を示す断面模式図である。
【図１０】図８に示す印字器における無端状ベルトと挿入型インクカートリッジとの配置の関係を示す断面模式図である。
【図１１】図８に示す印字器に用いられる回転伝達円盤と頭頂側回転送り駒５４の形態を示す要部斜視模式図である。
【図１２】本発明の更に他の態様における送り爪と係合部との関係を示す要部斜視模式図である。
【図１３】図１２に示す態様において送り爪の運動を制御するカム機構の態様の一例を示す正面図図１２（ａ）、平面図１２（ｂ）、側面図１２（ｃ）である。
【図１４】図１３に示すカム機構の作動態様を（ａ）〜（ｈ）に順次示す説明図である。
【図１５】本発明の又更に他の態様における送り爪と係合部との関係を示す要部斜視模式図である。
【図１６】図１５に示す態様の印字器における、枠体と枠とが乖離する方向に付勢される枠付勢手段の一例を示す機構透視図であり、図１６（ａ）、図１６（ｂ）はそれぞれ正面図、側面図である。
【図１７】本発明の図１とは異なる態様の印字器の要部の構成を示す斜視図である。
【図１８】本発明の図１とは更に異なる態様の印字器の構成を示す正面図（機構透視図）である。
【図１９】図１８に示す印字器の外観を示す斜視図であり、図１９（ａ）、図１９（ｂ）はそれぞれ着脱自在キャップの装着時と非装着時である。
【図２０】本発明の図１９とは異なる態様の印字器の外観を示す斜視図であり、図１９（ａ）、図１９（ｂ）はそれぞれ着脱自在キャップの装着時と非装着時である。
【図２１】図２０に示す印字器に用いられる送り爪の構成を示す分解斜視図である。
【図２２】図２０に示す本発明の印字器の構成を示す正面図（機構透視図）である。
【図２３】図２２に示す本発明の印字器における無端状ベルトの駒送りの態様を矢印の順に示す説明図である。
【図２４】本発明の図１８とは異なる態様の印字器の構成の一例を示す正面図（機構透視図）である。
【符号の説明】
【００５７】
２、２ａ、２ｄ、２ｐ、２ｑ，２ｒ：印字器
４：印字部
６：枠体
８：送り爪
１６：字型部
１８、１８ａ、１８ａａ、１８ｄ：無端状ベルト
２０：掛け渡し部
３０、３０ｐ、３０ｑ：枠
２２、２４：巻掛部
３２：係合部
４０：印字側回転送り駒
４２：シャフト
５４：頭頂側回転送り駒
５６：シャフト
６０：インク供給手段
６２：キャップ
６３：インクカートリッジ
６８：箱体
６６：開口部
８０：露出面
７０：インク含浸体
７２：カム
７４：カム当接部
９０：カートリッジ付勢手段
【図１】
2005053060.tif 000003
【図２】
2005053060.tif 000004
【図３】
2005053060.tif 000005
【図４】
2005053060.tif 000006
【図５】
2005053060.tif 000007
【図６】
2005053060.tif 000008
【図７】
2005053060.tif 000009
【図８】
2005053060.tif 000010
【図９】
2005053060.tif 000011
【図１０】
2005053060.tif 000012
【図１１】
2005053060.tif 000013
【図１２】
2005053060.tif 000014
【図１３】
2005053060.tif 000015
【図１４】
2005053060.tif 000016
【図１５】
2005053060.tif 000017
【図１６】
2005053060.tif 000018
【図１７】
2005053060.tif 000019
【図１８】
2005053060.tif 000020
【図１９】
2005053060.tif 000021
【図２０】
2005053060.tif 000022
【図２１】
2005053060.tif 000023
【図２２】
2005053060.tif 000024
【図２３】
2005053060.tif 000025
【図２４】
2005053060.tif 000026